(57)【要約】【課題】スイッチ用の作動素子、及びこれを利用する装置を提供する。【解決手段】スイッチ用の作動素子はＵ字形の作動区分を含む。作動区分は、長さが異なる２つの別のアームを含む。長いアームは、スイッチの押しボタンに力を伝達するように構成され、長いアームの自由端に作動素子を支持するためにブラケット部分を含む。短いアームは、力を入力するように構成され、長いアームに対して斜めに整列して配置される。【選択図】図１
2018092925.tif 000002
【特許請求の範囲】
【請求項１】
スイッチ用の作動素子であって、
長さが異なる２つの別のアームを含むＵ字形の作動区分を備え、
長いアームは、前記スイッチの押しボタンに力を伝達するように構成され、前記長いアームの自由端に作動素子を支持するためにブラケット部分を備え、
短いアームは、前記力を入力するように構成され、前記長いアームに対して斜めに整列して配置されることを特徴とする作動素子。
【請求項２】
前記短いアームは、その自由端に前記長いアームに対面するそれ部を備え、前記作動素子の休止位置において、前記短いアームの前記それ部は前記長いアームに接触しない、請求項１に記載の作動素子。
【請求項３】
前記それ部及び前記短いアームによって曲線的な鈍角が形成される、請求項２に記載の作動素子。
【請求項４】
前記ブラケット部分及び前記短いアームは、前記長いアームの反対側面上でそれぞれ湾曲し、前記ブラケット部分、前記長いアーム及び前記短いアームによってＳ形の外形が形成される、請求項１に記載の作動素子。
【請求項５】
前記ブラケット部分上に横断する回り止めが設けられ、前記作動素子を固定する、請求項１に記載の作動素子。
【請求項６】
前記長いアームには、その中間からその自由端まで延びる長手方向スロット開口部が設けられる、請求項１に記載の作動素子。
【請求項７】
前記作動素子は、金属薄板、プラスチックで形成される、請求項１に記載の作動素子。
【請求項８】
装置であって、
スイッチであって、そのハウジングから押しボタンが突出して、前記スイッチを起動するように構成されるスイッチと、
ばね形成された作動素子と、
移動可能であり、移動に基づき、前記作動素子を通じて前記スイッチの前記押しボタン上に力を及ぼす作用部材とを備え、
前記作動素子は、装置ハウジング内に前記スイッチとは別個に配置されることを特徴とする装置。
【請求項９】
前記作動素子は、請求項１から７の何れか１つによる作動素子である、請求項８に記載の装置。
【請求項１０】
前記装置ハウジング上に容器が配置され、前記作動素子を取り付けるように構成される、請求項８に記載の装置。
【請求項１１】
前記装置ハウジング上に容器が配置され、前記ブラケット部分を収容するように構成される、請求項９に記載の装置。
【請求項１２】
前記スイッチはマイクロスイッチである、請求項８に記載の装置。
【請求項１３】
前記スイッチの頂面がＸ方向に延びるとき、前記押しボタンの前記作動方向はＹ方向に延び、前記装置ハウジングにアクチュエータが配置され、前記作動素子の前記長いアームは、それぞれ、前記Ｘ方向、前記Ｙ方向、Ｚ方向、又はそれぞれ前記方向に由来する角度で移動する、請求項８に記載の装置。
【発明の詳細な説明】
【技術分野】
【０００１】
[0001]  本開示は、ボタンによって切換可能なスイッチ用の作動素子に、特に、作動素子を利用する装置に関する。作動素子は、装置内において、スイッチと作用部材との間に位置し、作用部材の力／移動をスイッチに伝達する。
【背景技術】
【０００２】
[0002]  追加の作動素子を備えたスイッチ装置は既に公知である。これらの追加の作動素子により、スイッチを、装置の異なる条件に、特に異なる作動力及び切換経路に適応させることが可能となる。いくつかの長い切換経路及び様々な高い作動力への適応に加えて、いくつかの装置では、スイッチに好ましくない横断力が常に誤ってかかる問題がある。
【図面の簡単な説明】
【０００３】
【図１】本発明によるＳ字形とされた作動素子の斜視図である。
【図２】装置に組み込まれた図１の作動素子の斜視図である。
【図３】作用部材を追加的に備えた図２の配置の斜視図である。
【図４】本発明による作動素子のさらなる配置の斜視図である。
【０００４】
[0007]  以下に続く実施は、上記各図と併せて本開示の説明に使用される。
【発明を実施するための形態】
【０００５】
[0008]  以後、本開示の実施形態における技術的解決法が、本開示の実施形態において、添付図面と併せて明確かつ完全に説明される。説明した実施形態は、本開示の実施形態の全てではなく、ほんの一部に過ぎないことは明らかである。本開示の実施形態に基づき、当業者によって創造的作業なしに得られる他の全ての実施形態は、本開示の保護範囲内に属する。図面は、参考及び説明を提供するためであり、本開示を限定しないことを理解されたい。図面で表した接続部は、単に説明の明確性のためであり、接続様式を限定しない。
【０００６】
[0009]  ある構成部品が別の構成部品に「固定された」と説明するとき、それは、別の構成部品に直接接続することができ、又は同時に中間の構成部品が存在できることにも注意されたい。本明細書で用いる全ての技術用語及び科学用語は、別段の定めがない限り、当業者によって通常理解されるのと同じ意味を有する。本開示で用いる用語は、単に具体的な実施形態を説明するためであり、発明を限定しない。
【０００７】
[0010]  本開示の１つの実施形態による作動素子２０が図１に示される。少なくとも１つの実施形態では、作動素子２０は、作用部材３とスイッチ１０（図３に示す）との間に配置され、作用部材３は、移動可能であるため、移動に基づき、作動素子２０を通じてスイッチ１０に力を作用させる。少なくとも１つの実施形態では、スイッチ１０はマイクロスイッチであり、作動素子２０はばねのような動く部分である。
【０００８】
[0011]  作動素子２０はＳ字形の外形として示される。作動素子２０は、作動区分及びブラケット部分２５を備える。作動区分は、Ｕ字形の区分として形成され、２つのアーム２１、２２を備える。長いアーム２１は、作動素子２０を支持するのに役立つブラケット部分２５に合併する。作動素子２０を取り付けるため、ブラケット部分２５上には横断する回り止め２６が設けられ、その結果ブラケット部分２５は、対応する容器に、例えば、図２に示すような装置のハウジング２つの容器４に挿入して固体することができる。このブラケット部分２５及び短いアーム２２は、それぞれ長いアーム２１の反対側面上で湾曲している。Ｓ字形である結果、ブラケット部分２５は、力にならう結果として作動素子をはめ直しすることもできる。さらに、少なくとも１つの実施形態では、長いアーム２１に長手方向のスロット開口部２３が設けられ、それによりＳ字形の作動素子２０が確実に強化される。長手方向のスロット開口部２３は、長いアーム２１の中間からその自由端まで延びることが好ましい。
【０００９】
[0012]  作動素子２０は、作用部材３からスイッチ１０の押しボタン１１に力を伝達するために使用される。具体的には、作用部材３の移動によって力が作動し、作動素子２０を介してスイッチ１０に伝達される。この力は、スイッチ１０の開閉動作を起動する。作動素子２０の長いアーム２１は、スイッチ１０の押しボタン１１に力を伝達するために使用することが好ましい。図２に示すように、長いアーム２１は、スイッチ１０の押しボタン１１に押し当てられ、力が加わると、押しボタン１１をその作動方向Ｂに沿って解除してスイッチ１０のハウジング１２内に至らせ、押圧されてスイッチ接触を起動するようにできる。
【００１０】
[0013]  作動素子２０の短いアーム２２に外力が作用し、すなわち、力は短いアーム２２に加わる。少なくとも１つの実施形態では、図３で最も分かるように、短いアーム２２は、長いアーム２１に斜めに整列している。この向きによって、作用部材は、この短いアーム２２に力Ｆ１を及ぼすことができる。作用部材３が短いレッグ２２に突き当たる場合、短いアーム２２は長いアーム２１に対面する方向に押圧され、従って押しボタン１１は起動される。図３の本実施形態では、作用部材３は、短いアーム２２に横方向から上記力Ｆ１を及ぼすほかにアームに上方から力Ｆ３を及ぼす。
【００１１】
[0014]  少なくとも１つの実施形態では、短いアーム２２は、その自由端にそれ部２４を備える。短いアーム２２とそれ部２４との間に曲線的な鈍角αが形成される。それ部２４は、図３に示すように、マイクロスイッチに反対側から力Ｆ２も作用できるように整列している。可能な力Ｆ１、Ｆ２、Ｆ３は、作用部材３の直線運動によって、又は作用部材３の回転運動によっても起動することができ、スイッチ１０上に直接負荷をかけることなく、追加的な作動素子２０（ばね）によって吸収することができる。
【００１２】
[0015]  作動素子をスイッチに固定するのとは対照的に、上述した作動素子２０と、装置１中における作動素子２０の自由な配置とにより、力を異なる方向からかけることが可能になる。図２に示すように、スイッチ１０は、箱形のスイッチハウジング１２で示される。押しボタン１１は、このスイッチ１０の頂部から突出している。追加的な作動素子２０をスイッチ１０に留める場合、箱形のスイッチハウジング１２には、作動素子２０がスイッチハウジング１２の上側面に沿って延び得る長所がある。図３に座標系を示す。このように、スイッチ１０の上側面はＸ方向に延び、押しボタン１１の作動方向ＢはＹ方向に生ずる。
【００１３】
[0016]  周知のスイッチの場合、作動素子２０は、スイッチ１０のスイッチハウジング１２上に取り付け、ほとんどＸ方向に延び、又はＸ方向に対して鋭角で延びる。このように、方向Ｘ又はＹ方向から作用する力のみを入力することができる。Ｚ方向から力を入力することは、作動素子２０を備えたスイッチ１０によってはできず、その理由は、そうすると、作用部材３は、作動素子２０に横方向に突き当たるからである。しかしながら、新しい作動素子２０を別個に配置することにより、装置１のハウジング２内に整列することができ、結果として図３に示すように、長いアーム２１は、Ｚ方向に整列して、Ｚ方向に作用する力Ｆ１及びＦ２を吸収することができる。
【００１４】
[0017]  少なくとも１つの実施形態では、このブラケット部分２５のための対応する容器４は、装置１のハウジング２に設けることが好ましい。作動素子は、別の接続部、例えば接着剤、ねじ、リベット又は他の取付け用接続部を介して、ハウジングに接続することもできる。
【００１５】
[0018]  図４は別の電気装置の詳細を示す。別個の追加的な作動素子２０は、電気装置１のハウジング２つの容器４に挿入される。図３に示したのと同様のスイッチ１０を使用する。新しく描いた座標系が、スイッチ１０の位置に関して整列している。具体的には、スイッチ１０の頂部は、Ｘ方向に沿って延びる。押しボタン１１の作動方向Ｂは、Ｙ方向に沿って延びる。追加的な作動素子２０は、電気装置１のハウジング２に配置され、長いアーム２１は、押しボタン１１上に載置される。しかしながら、この場合、長いアーム２１は、Ｚ方向に延びずＺ方向と鋭角を形成する。この適応例では、力Ｆ１及びＦ３は、作用部材３によってこの作動素子２０上に異なる方向から作用し、短いアーム２２上に作用する。力Ｆ１は、ほとんどＺ方向に沿って作用する。なお、そのような力は、横方向の力によって負荷をかけることなく、別個に留めた作動素子によってスイッチ１０から吸収することができる。
【００１６】
[0019]  新しい作動素子２０は、電気装置１のハウジング２内の別個の配置を通じてスイッチ１０と作用部材３との間に位置決めすることができる。スイッチ１０に対して任意の方向からスイッチ１０の押しボタン１１上に作用する力は、作用部材３によって伝達することができる。
【００１７】
[0020]  少なくとも１つの実施形態では、作動素子２０は、金属薄板から形成される。しかしながら、プラスチックのような、他の板ばね材料も可能である。
【００１８】
[0021]  本発明の目的は、スイッチ１０を可変な異なる環境に適応させ得る、作動素子２０を提供することである。本発明における装置は、デザインが小型である。作用部材は、マイクロスイッチと直接接触せず、スイッチを過負荷又ははみ出しから保護する。
【００１９】
[0022]  さらに、過度の力は、短いアームの向きを変えること及びレッグの傾斜した向きによって吸収することができ、それによりスイッチの寿命が延びる。力が加わると、異なる方向からの直線運動及び回転運動によって引き起こされる力は、両方とも、作動素子に作用し、スイッチの押しボタンに伝達される。
【００２０】
[0023]  さらに、有利なＳ字形の外形により、同じばね特性を備えながら、例えば直線のアクチュエータよりもさらになお小型のデザインが可能になる。
【００２１】
[0024]  さらに、短いレッグに湾曲部を設計して、湾曲部が長いレッグに接触し又は湾曲部が長いレッグに所定のそれ部から接触するようにできる。その結果、ばね特性は、それに応じて影響されることができる。
【００２２】
[0025]  本開示の望ましい実施形態を上述したが、それらは、本開示を限定することは意図しない。本開示の精神及び原理の範囲における全ての修正、均等な置換及び改善は、本開示の保護範囲にある。
【符号の説明】
【００２３】
２０  作動素子
２１  長いアーム
２２  短いアーム
２３  スロット開口部
２４  それ部
２５  ブラケット部分
２６  回り止め
【図１】
2018092925.tif 000003
【図２】
2018092925.tif 000004
【図３】
2018092925.tif 000005
【図４】
2018092925.tif 000006
【外国語明細書】
2018092925000001.pdf